(57)【要約】【課題】ディスクを露出する開口部の面積を拡大するとともに、光ディスク装置など外部電子機器に装填する際、その装填位置を決める精度を良好にする。【解決手段】光ディスク２を格納したケース３には、格納した光ディスク２を露出する開口部３２と、この開口部３２を開閉するようその開閉方向にケース３面に沿って移動する開口部用シャッタ４とが設けられている。ケース３面の開口部用シャッタ４の移動領域３３であってその両側部３６、３７には、光ディスク装置に装填した際、光ディスク装置内におけるカートリッジ１の装填位置を決める突起部３８が設けられている。開口部用シャッタ４には、その開方向に移動した際に突起部３８を挿入する切り欠き部４８と、この切り欠き部４８を開閉するようその開閉方向に移動するとともに開口部用シャッタ４が閉塞した際に切り欠き部４８を閉塞状態にする切り欠き部用シャッタ５が設けられている。【選択図】図１
2004022107.tif 000002
【特許請求の範囲】
【請求項１】
情報記録再生用のディスクを格納したケースに、格納したディスクを露出する開口部と、この開口部を開閉するようその開閉方向にケース面に沿って移動する開口部用シャッタとが設けられ、ケース面における開口部用シャッタの開閉方向への移動領域が凹んで形成されてなり、外部電子機器に装填するカートリッジにおいて、
前記ケース面の前記開口部用シャッタの移動領域に、外部電子機器に当該カートリッジを装填した際、外部電子機器内における当該カートリッジの装填位置を決める突起部が設けられ、
前記開口部用シャッタに、その開方向に移動した際に前記突起部を挿入する切り欠き部と、この切り欠き部を開閉するようその開閉方向に移動するとともに開口部用シャッタが閉塞した際に切り欠き部を閉塞状態にする切り欠き部用シャッタとが設けられたことを特徴とするカートリッジ。
【請求項２】
前記切り欠き部用シャッタには、その閉方向に付勢する切り欠きバネが設けられ、
前記開口部用シャッタがその開方向に移動した際、前記切り欠き部用シャッタが前記突起部により押圧されてその開方向に移動しながら、切り欠き部に突起部を挿入することを特徴とする請求項１に記載のカートリッジ。
【請求項３】
前記開口部用シャッタと前記切り欠き部用シャッタとが連動して夫々閉方向に付勢するバネが設けられ、
前記開口部用シャッタがその開方向に移動した際、この開口部用シャッタの開方向への移動に連動して前記切り欠き部用シャッタがその開方向に移動し、前記突起部を切り欠き部に挿入することを特徴とする請求項１に記載のカートリッジ。
【請求項４】
前記切り欠き部の開口端から底部までの長さは、前記突起部の切り欠き部に挿入する方向の長さより長いことを特徴とする請求項１に記載のカートリッジ。
【発明の詳細な説明】
【０００１】
【発明の属する技術分野】
本発明は、情報記録再生用のディスクを格納したカートリッジに関する。
【０００２】
【従来の技術】
近年、光ディスク装置に使用されるディスクは、ＭＤなどＣＤに比べて径が小さく形成され、防塵、ディスク保護等の理由によりカートリッジに格納されている。そのため、カートリッジは、ディスク径が小さくなることに比例して小型化されており、可搬性に優れている。
【０００３】
ところで、カートリッジを小型化すると、それに伴ってカートリッジの各構成も小さくなる。そのため、このカートリッジを装填する光ディスク装置の各構成も小さくする必要がある。例えば、カートリッジには、光ディスク装置のピックアップを挿入してディスクから情報の記録再生を行う開口部が設けられているが、この開口部を小さくすると、それに対応させて光ディスク装置のピックアップのカートリッジに挿入する部分を小型化する必要がある。しかし、ピックアップの外形は、カートリッジに格納されたディスクの径に依存していないため、ディスクの径に比例して小型化することが困難である。
【０００４】
そこで、従来のカートリッジに、カートリッジ外形に比べて開口部を大きくしたカートリッジが考案され、例えば、このカートリッジに、特開平１０−２５５４３２号公報に示されたカートリッジがある（図９参照）。
【０００５】
このカートリッジ９は、光ディスク９１を格納したケース９２からなり、このケース９２には、光ディスク９１の一部を露出した窓部９３が形成されているとともに、この窓部９３を開閉するシャッタ９４が設けられている。このシャッタ９４は、一対のシャッタ部材９５、９６に分割して形成され、これらのシャッタ部材９５、９６は、互いに協同して窓部９３を閉塞する閉塞位置と、窓部９３の両側にそれぞれ位置し窓部９３を開放する開放位置と、の間をそれぞれ移動自在にケース９２に取付けられている。
【０００６】
【発明が解決しようとする課題】
しかし、図９に示すように、このカートリッジ９に設けられたシャッタ９４は、ケース９２の両側部９７、９８まで開放しないため、シャッタ９４を両側部９７、９８まで開放した場合と比べて、シャッタ９４の移動量は減少する。そのため、シャッタ９４の移動量以上の開閉を行うことができず、窓部９３の開口面積が限定される。
【０００７】
また、上記したカートリッジ９の両側部９７、９８までをシャッタ９４の移動領域にしたカートリッジ（図示省略）を考案し、このカートリッジを光ディスク装置（図示省略）に装填したとする。しかし、この場合、光ディスク装置内部の装填位置においてカートリッジはその両側部で保持することができない。そのため、カートリッジの装填位置を決める精度が悪く、光ディスク装置に設けられたハブにカートリッジに格納されたディスクをチャッキングする際、ケースに対して格納されたディスクが傾いてチャッキングされ、ディスクがケースの内壁に接触する場合がある。
【０００８】
そこで、上記課題を解決するために本発明は、ディスクを露出する開口部の面積を拡大するとともに、光ディスク装置など外部電子機器に装填する際、その装填位置を決める精度が良好であるカートリッジを提供することを目的とする。
【０００９】
【課題を解決するための手段】
上記目的を達成するため本発明に係るカートリッジは、情報記録再生用のディスクを格納したケースに、格納したディスクを露出する開口部と、この開口部を開閉するようその開閉方向にケース面に沿って移動する開口部用シャッタとが設けられ、ケース面における開口部用シャッタの開閉方向への移動領域が凹んで形成されてなり、外部電子機器に装填するカートリッジにおいて、前記ケース面の前記開口部用シャッタの移動領域に、外部電子機器に当該カートリッジを装填した際、外部電子機器内における当該カートリッジの装填位置を決める突起部が設けられ、前記開口部用シャッタに、その開方向に移動した際に前記突起部を挿入する切り欠き部と、この切り欠き部を開閉するようその開閉方向に移動するとともに開口部用シャッタが閉塞した際に切り欠き部を閉塞状態にする切り欠き部用シャッタとが設けられたことを特徴とする。この構成において、開口部用シャッタは、例えば、その開閉方向が反対になる一対の開口部用シャッタから構成されていてもよい。
【００１０】
この発明によれば、開口部用シャッタに、その開方向に移動した際に突起部を挿入する切り欠き部が設けられているので、開口部用シャッタ自体をケースの側部まで移動させて、ディスクを露出する開口部の面積を拡大することが可能となる。また、ケースに設けられた突起部を外部電子機器へのカートリッジ装填時の装填位置を決める基準とすることが可能となるので、その装填位置を決める精度を良好にすることが可能となる。また、開口部を開口部用シャッタで閉塞した際に切り欠き部を切り欠き部用シャッタで閉塞するので、カートリッジ内部に異物などが混入するのを防ぐことが可能となり、防塵効果を得ることをできる。
【００１１】
上記構成において、上記切り欠き部用シャッタには、その閉方向に付勢する切り欠きバネが設けられ、上記開口部用シャッタがその開方向に移動した際、上記切り欠き部用シャッタが上記突起部により押圧されてその開方向に移動しながら、切り欠き部に突起部を挿入してもよい。
【００１２】
この場合、切り欠き部用シャッタには、その閉方向に付勢する切り欠きバネが設けられているので、外力が加わらない状態では、切り欠き部用シャッタを閉塞することが可能となり、切り欠き部から開口部を介してカートリッジ内部に異物などが混入するのを防ぐことが可能となる。また、開口部用シャッタがその開方向に移動した際、切り欠き部用シャッタが突起部により押圧されてその開方向に移動するので、切り欠き部用シャッタの開閉を行うための特別な機構を設ける必要が無い。
【００１３】
上記構成において、上記開口部用シャッタと上記切り欠き部用シャッタとが連動して夫々閉方向に付勢するバネが設けられ、上記開口部用シャッタがその開方向に移動した際、この開口部用シャッタの開方向への移動に連動して上記切り欠き部用シャッタがその開方向に移動し、上記突起部を切り欠き部に挿入してもよい。
【００１４】
この場合、開口部用シャッタと切り欠き部用シャッタとが連動して夫々閉方向に付勢するバネが設けられているので、開口部用シャッタの開閉駆動機構であるバネを切り欠き部用シャッタにそのまま使用することが可能となり、切り欠き部用シャッタを開閉する駆動機構を別途設ける必要がなく、部品点数の削減を行うことを可能とする。その結果、カートリッジの小型化に寄与する。また、開口部用シャッタに外力が加わらない状態では、開口部用シャッタに連動して切り欠き部用シャッタを閉塞することが可能となり、切り欠き部から開口部を介してカートリッジ内部に異物などが混入するのを防ぐことが可能となる。
【００１５】
上記構成において、上記切り欠き部の開口端から底部までの長さは、上記突起部の切り欠き部に挿入する方向の長さより長くてもよい。
【００１６】
この場合、切り欠き部の開口端から底部までの長さを長くするので、開口部用シャッタをケース側部よりも外方に移動させることが可能となり、ケース側部よりも外方に移動させた分開口部の面積を拡大することが可能となる。
【００１７】
【発明の実施の形態】
以下、本発明の実施の形態について図面を参照して説明する。なお、以下に示す各実施の形態では、本発明にかかるカートリッジを装填する外部電子機器として光ディスク装置を用いるがこれに限定されるものではない。
＜実施の形態１＞
本実施の形態１にかかるカートリッジ１を図１、２を用いて以下に詳説する。図１（ａ）は、開口部用シャッタを閉じた状態のカートリッジの斜視図であり、図１（ｂ）は、開口部用シャッタを開いた状態のカートリッジの斜視図であり、図２（ａ）は、開口部用シャッタを閉じた状態のカートリッジの内部構成図であり、図２（ｂ）は、開口部用シャッタを開いた状態のカートリッジの内部構成図である。
【００１８】
カートリッジ１は、図１に示すように情報記録再生用の光ディスク２を格納したケース３からなり、光ディスク装置（図示省略）に装填して、光ディスク２から情報を記録再生するものである。なお、カートリッジ１の光ディスク装置に装填する装填方向をＡ方向とする。
【００１９】
ケース３には、図１に示すように、装填方向（Ａ方向）を基準にしてその前部３１側に格納した光ディスク２の一部を露出する開口部３２と、この開口部３２を開閉するようその開閉方向（Ｂ、Ｃ方向）にケース３面に沿って移動する開口部用シャッタ４とが設けられ、ケース３面における開口部用シャッタ４の開閉方向（Ｂ、Ｃ方向）への移動領域３３が凹んで形成されている。ケース３の後部３４側には、開口部用シャッタ４をケース３に保持するための保持部３５が設けられている。
【００２０】
また、ケース３面の開口部用シャッタ４の移動領域３３であってその両側部３６、３７には、図１に示すように、光ディスク装置に装填した際、光ディスク装置内におけるカートリッジ１の装填位置を決める突起部３８が設けられている。この突起部３８は、開口部用シャッタ４よりも高くなるように設計されている。
【００２１】
開口部用シャッタ４は、図１、２に示すように、その開閉方向（Ｂ、Ｃ方向）が反対になる一対の開口部用シャッタ４ａ、４ｂから構成され、バネ４０によりその閉方向（Ｃ方向）に付勢されている（図２参照）。これら開口部用シャッタ４ａ、４ｂでは、形状および構成部材の配置が逆になるだけで同一の構成部材が用いられている。そのため、図３を用いて開口部用シャッタ４ａを以下に詳説し、もう一方の開口部用シャッタ４ｂは同一であるため、その説明を省略する。
【００２２】
開口部用シャッタ４ａは、矩形状の板材からなり、その長尺方向の一端部４１が直角に折曲され、更にその一端４２が内方に直角に折曲されている。この一端部４１は、装填方向（Ａ方向）前面にあたる。また、その前面の一側部４３側には、光ディスク装置に装填する際、光ディスク装置に設けられた、開口部用シャッタ４ａを開方向（Ｂ方向）に移動させる開放部（図示省略）により開方向（Ｂ方向）に押圧されて開口部用シャッタ４ａをその開方向（Ｂ方向）に移動させる開放突起部４４が設けられている。また、開口部用シャッタ４ａの長尺方向の他端部４５から、開口部用シャッタ４ａをケース３の保持部３５に保持させるための延出部４６が延出されている。
【００２３】
開口部用シャッタ４ａの一側部４３の表面４７側には、その開方向（Ｂ方向）に移動した際に突起部３８を挿入する切り欠き部４８が設けられている。図３（ｂ）に示すように、開口部用シャッタ４ａの裏面４９側には、切り欠き部４８を開閉するようその開閉方向（Ｄ、Ｅ方向）に移動するとともに開口部用シャッタ４ａが閉塞した際に切り欠き部４８を閉塞状態にする切り欠き部用シャッタ５が設けられている。この切り欠き部用シャッタ５は、切り欠きバネ５１によりその閉方向（Ｅ方向）に付勢されており（図３参照）、支点５２を中心軸としてその開閉方向（Ｄ、Ｅ方向）に回動される。
【００２４】
次に、このカートリッジ１に設けられた各々シャッタ４、５の開閉工程を、図１、２を用いて以下に詳説する。
【００２５】
光ディスク装置に装填する前、カートリッジ１は、図１（ａ）、図２（ａ）に示すように開口部３２が開口部用シャッタ４および切り欠き部用シャッタ５により閉塞されている。
【００２６】
カートリッジ１を光ディスク装置に装填する時、光ディスクに設けられた開放部により開口部用シャッタ４ａ、４ｂに夫々設けられた開放突起部４４が、その開方向（Ｂ方向）に押圧される。開放突起部４４が押圧されることにより、開口部用シャッタ４ａ、４ｂが夫々その開方向（Ｂ方向）にケース３面に沿って移動する。そして、カートリッジ１が光ディスク装置内部の装填位置まで装填されると、図１（ｂ）、２（ｂ）に示すように開口部用シャッタ４ａ、４ｂがカートリッジ１の両側部３６、３７まで移動し、開口部３２が完全に開放される。この時、開口部用シャッタ４ａ、４ｂに設けられた切り欠き部用シャッタ５が突起部３８により押圧されてその開方向（Ｄ方向）に移動しながら、切り欠き部４８に突起部３８が挿入される。
【００２７】
光ディスク装置の装填位置まで装填されると、突起部３８によりその装填位置での位置決めがされ、カートリッジ１が正常に光ディスク装置の装填位置に装填される。
【００２８】
カートリッジ１を光ディスク装置から排出する時、光ディスク装置に設けられた開放部が、開口部用シャッタ４ａ、４ｂの夫々閉方向（Ｃ方向）に移動し、開口部用シャッタ４ａ、４ｂに夫々設けられた開放突起部４４が、バネ４０によりその閉方向（Ｃ方向）に付勢される。この時、切り欠き部４８から突起部３８が抜出されるとともに、突起部３８に押圧された切り欠き部用シャッタ５が切り欠きバネ５１によりその閉方向（Ｅ方向）に付勢され、切り欠き部用シャッタ５は閉方向（Ｅ方向）に移動する。そして、カートリッジ１を光ディスク装置から完全に排出されると、開口部用シャッタ４ａ、４ｂにより開口部３２が完全に閉塞されるとともに切り欠き部用シャッタ５により切り欠き部４８が完全に閉塞される。
【００２９】
上記したように、このカートリッジ１によれば、開口部用シャッタ４ａ、４ｂに、その開方向（Ｂ方向）に移動した際に突起部３８を挿入する切り欠き部４８が設けられているので、開口部用シャッタ４ａ、４ｂ自体をケース３の両側部３６、３７まで移動させて、光ディスク２の一部を露出する開口部３２の面積を拡大することができる。
【００３０】
また、ケース３に設けられた突起部３８を光ディスク装置へのカートリッジ装填時の装填位置を決める基準とすることができるので、その装填位置を決める精度を良好にすることができる。
【００３１】
また、開口部３２を開口部用シャッタ４で閉塞した際に切り欠き部４８を切り欠き部用シャッタ５で閉塞するので、カートリッジ内部に異物などが混入するのを防ぐことができ、防塵効果を得ることをできる。
【００３２】
また、切り欠き部用シャッタ５には、その閉方向（Ｅ方向）に付勢する切り欠きバネ５１が設けられているので、突起部３８によりその開方向（Ｄ方向）に押圧されない状態では、切り欠き部用シャッタ５を閉塞することができ、切り欠き部４８から開口部３２を介してカートリッジ１内部に異物などが混入するのを防ぐことができる。また、開口部用シャッタ４がその開方向（Ｂ方向）に移動した際、切り欠き部用シャッタ５が突起部３８により押圧されてその開方向（Ｂ方向）に移動するので、切り欠き部用シャッタ５の開閉を行うための特別な機構を設ける必要が無い。
【００３３】
なお、本実施の形態１にかかる切り欠き部４８は、図１に示す形状や寸法に限定されるものではなく、図４に示すような切り欠き部４８ａであってもよい。この切り欠き部４８ａは、その開口端４８ｂから底部４８ｃまでの長さ４８Ｌは、突起部３８の切り欠き部４８ａに挿入する方向（Ｆ方向）の長さ３８Ｌより長い。このように、開口端４８ｂから底部４８ｃまでの長さ４８Ｌが長い切り欠き部４８ａを設けた場合、開口部用シャッタ４ａ、４ｂをケース３の両側部３６、３７よりも外方に移動させることができ、ケース３の両側部３６、３７よりも外方に移動させた分開口部３２の面積を拡大させることができる。
【００３４】
また、本実施の形態１にかかる突起部３８の形状は、図１に示すような形状に限定されるものではなく、例えば、図５に示すような、孔３８ａが設けられた突起部であってもよい。
【００３５】
また、本実施の形態１にかかる突起部３８は、ケース３の両側部３６、３７に設けられているが、ケース３面の開口部用シャッタ４の移動領域３３に設けられ、光ディスク装置へのカートリッジ装填時の装填位置を決める基準とすることができれば、ケースの前後部３１、３４側であってもよく、両側部３６、３７の内方に設けられてもよい。さらに、本実施の形態１では、突起部３８はケース３の両側部３６、３７に夫々１つ設けられているが、複数個設けられてもよく、その数を異ならせてもよい。
【００３６】
また、本実施の形態１にかかる開放突起部４４は、図１に示すような形状に限定されるものではなく、光ディスク装置の開放部により開口部用シャッタを開方向に移動させるものであればよく、例えば、開放突起部が孔に形成され、光ディスク装置の開放部が孔である開放突起部に挿入し引っかけて開口部用シャッタを移動させるものであってもよい。
【００３７】
また、バネ４０には、人為的なものを含めて容易に開口部用シャッタ４を開方向（Ｂ方向）に移動しない程度の付勢力が必要であるが、切り欠きバネ５１は、切り欠き部４８を閉塞するだけの付勢力があればよく、バネ４０と比べてその付勢力を弱めてもよい。
【００３８】
また、本実施の形態１では、開口部３２は、ケース３表面だけに設けられているが、これに限定されるものではなく、ケース３表裏面に設けられてもよい。
＜実施の形態２＞
本実施の形態２にかかるカートリッジ６を図６を用いて以下に詳説する。図６（ａ）は開口部用シャッタを閉じた状態のカートリッジの平面図であり、図６（ｂ）は、開口部用シャッタを開いた状態のカートリッジの平面図である。なお、本実施の形態２にかかるカートリッジ６は、上記した実施の形態１にかかるカートリッジ６と、開口部用シャッタで異なるだけであり、他の構成は同一である。従って、実施の形態１と同様の構成要素には同一の符号を付し、その説明を省略する。
【００３９】
カートリッジ６は、図６に示すように光ディスク２を格納したケース３からなる。このケース３には、その前部３１側に開口部３２と、バネ４０によりその閉方向（Ｃ方向）にケース３面に沿って付勢される開口部用シャッタ７とが設けられ、ケース３面における開口部用シャッタ７の開閉方向（Ｂ、Ｃ方向）への移動領域３３が凹んで形成されている。ケース３の後部３４側には、保持部３５が設けられている。
【００４０】
また、ケース３面の開口部用シャッタ７の移動領域３３であってその一側部３６には、図６に示すように、突起部３８が設けられている。
【００４１】
開口部用シャッタ７は、矩形状の板材からなり、その長尺方向の一端部４１が直角に折曲され、更にその一端４２が内方に直角に折曲されている。この一端部４１は、装填方向（Ａ方向、図６参照）前面にあたる。また、その前面の一側部４３側には、光ディスク装置に装填する際、光ディスク装置に設けられた、開口部用シャッタ７を開方向（Ｂ方向）に移動させる開放部（図示省略）により開方向（Ｂ方向）に押圧されて開口部用シャッタ７をその開方向（Ｂ方向）に移動させる開放突起部４４が設けられている。また、開口部用シャッタ７の長尺方向の他端部４５から、開口部用シャッタ７をケース３の保持部３５に保持させるための延出部４６が延出されている。
【００４２】
開口部用シャッタ７の一側部４３の表面側には、その開方向（Ｂ方向）に移動した際に突起部３８を挿入する切り欠き部４８が設けられている。図７に示すように、開口部用シャッタ７の裏面４９側には、切り欠き部４８を開閉するようその開閉方向（Ｄ、Ｅ方向）に移動するとともに開口部用シャッタ７が閉塞した際に切り欠き部４８を閉塞状態にする切り欠き部用シャッタ８が設けられている。
【００４３】
また、切り欠き部用シャッタ８には、開口部用シャッタ７をその閉方向（Ｃ方向）に付勢するバネ４０を掛けるバネフック８１が設けられている。そのため、開口部用シャッタ７と切り欠き部用シャッタ８とは、バネ４０により連動して夫々閉方向（Ｃ、Ｅ方向）に付勢されている。また、切り欠き部用シャッタ８は、バネ４０により付勢させることで支点５２を中心軸としてその開閉方向（Ｄ、Ｅ方向）に回動される。
【００４４】
次に、このカートリッジ６に設けられた各々シャッタ７、８の開閉工程を、図６を用いて以下に詳説する。
【００４５】
光ディスク装置に装填する前、カートリッジ６は、図６（ａ）に示すように開口部３２が開口部用シャッタ７および切り欠き部用シャッタ８により閉塞されている。
【００４６】
カートリッジ６を光ディスク装置に装填する時、光ディスクに設けられた開放部により開口部用シャッタ７に設けられた開放突起部４４が、その開方向（Ｂ方向）に押圧される。開放突起部４４が押圧されることにより、開口部用シャッタ７がその開方向（Ｂ方向）にケース３面に沿って移動する。そして、カートリッジ６が光ディスク装置内部の装填位置まで装填されると、図６（ｂ）に示すように開口部用シャッタ７がカートリッジ６の一側部３６まで移動し、開口部３２が完全に開放される。この時、開口部用シャッタ７の開方向（Ｂ方向）への移動に連動して、開口部用シャッタ７に設けられた切り欠き部用シャッタ８がその開方向（Ｄ方向）に移動し、切り欠き部４８に突起部３８が挿入される。
【００４７】
光ディスク装置の装填位置まで装填されると、他側部３７と突起部３８とによりその装填位置での位置決めがされ、カートリッジ６が正常に光ディスク装置の装填位置に装填される。
【００４８】
カートリッジ６を光ディスク装置から排出する時、光ディスク装置に設けられた開放部が、開口部用シャッタ７の閉方向（Ｃ方向）に移動し、開口部用シャッタ７に設けられた開放突起部４４が、バネ４０によりその閉方向（Ｃ方向）に付勢される。この時、切り欠き部４８から突起部３８が抜出されるとともに、開口部用シャッタ７の開方向（Ｂ方向）への移動に連動して、切り欠き部用シャッタ８がバネ４０によりその閉方向（Ｅ方向）に付勢され、切り欠き部用シャッタ８は閉方向（Ｅ方向）に移動する。そして、カートリッジ６を光ディスク装置から完全に排出されると、開口部用シャッタ７により開口部３２が完全に閉塞されるとともに切り欠き部用シャッタ８により切り欠き部４８が完全に閉塞される。
【００４９】
上記したように、このカートリッジ６によれば、開口部用シャッタ７に、その開方向（Ｂ方向）に移動した際に突起部３８を挿入する切り欠き部４８が設けられているので、開口部用シャッタ７自体をケース３の一側部３６まで移動させて、光ディスク２の一部を露出する開口部３２の面積を拡大することができる。
【００５０】
また、ケース３に設けられた突起部３８を光ディスク装置へのカートリッジ装填時の装填位置を決める基準とすることができるので、その装填位置を決める精度を良好にすることができる。
【００５１】
また、開口部用シャッタ７と切り欠き部用シャッタ８とが連動して夫々閉方向（Ｃ、Ｅ方向）に付勢するバネ４０が設けられているので、開口部用シャッタ７の開閉駆動機構であるバネ４０を切り欠き部用シャッタ８にそのまま使用することができ、切り欠き部用シャッタ８を開閉する駆動機構を別途設ける必要がなく、部品点数の削減を行うことができる。そのため、カートリッジ６の小型化に寄与する。
【００５２】
また、光ディスク装置に設けられた開放部によって開放突起部４４が押圧されていない状態では、開口部用シャッタ７に連動して切り欠き部用シャッタ８を閉塞することができ、切り欠き部４８から開口部３２を介してカートリッジ６内部に異物などが混入するのを防ぐことができる。
【００５３】
なお、本実施の形態２にかかる切り欠き部４８は、図６に示す形状や寸法に限定されるものではなく、図８に示すような切り欠き部４８ａであってもよい。この切り欠き部４８ａは、その開口端４８ｂから底部４８ｃまでの長さ４８Ｌは、突起部３８の切り欠き部４８ａに挿入する方向（Ｆ方向）の長さ４８Ｌより長い。このように、開口端４８ｂから底部４８ｃまでの長さ４８Ｌが長い切り欠き部４８ａを設けた場合、開口部用シャッタ７をケース３の一側部３６よりも外方に移動させることができ、ケース３の一側部３６よりも外方に移動させた分、開口部３２の面積を拡大させることができる。
【００５４】
【発明の効果】
以上、説明したように、本発明にかかるカートリッジによれば、開口部用シャッタに、その開方向に移動した際に突起部を挿入する切り欠き部が設けられているので、開口部用シャッタ自体をケースの側部まで移動させて、ディスクを露出する開口部の面積を拡大することができる。また、ケースに設けられた突起部を外部電子機器へのカートリッジ装填時の装填位置を決める基準とすることができるので、その装填位置を決める精度を良好にすることができる。また、開口部を開口部用シャッタで閉塞した際に切り欠き部を切り欠き部用シャッタで閉塞するので、カートリッジ内部に異物などが混入するのを防ぐことができる、防塵効果を得ることをできる。
【図面の簡単な説明】
【図１】（ａ）は、本実施の形態１にかかる、開口部用シャッタを閉じた状態のカートリッジの斜視図であり、（ｂ）は、開口部用シャッタを開いた状態のカートリッジの斜視図である。
【図２】（ａ）は、本実施の形態１にかかる、開口部用シャッタを閉じた状態のカートリッジの内部構成図であり、（ｂ）は、開口部用シャッタを開いた状態のカートリッジの内部構成図である。
【図３】（ａ）は、本実施の形態１にかかるカートリッジに設けられた開口部用シャッタの表面側斜視図であり、（ｂ）は、開口部用シャッタの裏面側斜視図である。
【図４】本実施の形態１にかかる、切り欠き部の開口端から底部までの長さを長くした切り欠き部を設けたカートリッジの斜視図である。
【図５】本実施の形態１にかかる、突起部に孔を設けたカートリッジの斜視図である。
【図６】（ａ）は、本実施の形態２にかかる、開口部用シャッタを閉じた状態のカートリッジの平面図であり、（ｂ）は、開口部用シャッタを開いた状態のカートリッジの平面図である。
【図７】本実施の形態２にかかるカートリッジに設けられた開口部用シャッタの裏面側斜視図である。
【図８】（ａ）は、本実施の形態２にかかる、切り欠き部の開口端から底部までの長さを長くした切り欠き部を設けた、開口部用シャッタを閉じた状態のカートリッジの平面図であり、（ｂ）は、開口部用シャッタを開いた状態のカートリッジの平面図である。
【図９】（ａ）は、従来のシャッタを閉じた状態のカートリッジの斜視図であり、（ｂ）は、シャッタを開いた状態のカートリッジの斜視図である。
【符号の説明】
１、６　カートリッジ
２　ディスク
３　ケース
３２　開口部
３３　移動領域
３８　突起部
３８Ｌ　突起部の長さ
４、７　開口部用シャッタ
４０　バネ
４８　切り欠き部
４８ｂ　開口端
４８ｃ　底部
４８Ｌ　切り欠き部の長さ
５、８　切り欠き部用シャッタ
５１　切り欠きバネ
Ａ、Ｂ　開口部用シャッタの開閉方向
Ｃ、Ｄ　切り欠き部用シャッタの開閉方向
Ｆ　突起部の切り欠き部に挿入する方向
【図１】
2004022107.tif 000003
【図２】
2004022107.tif 000004
【図３】
2004022107.tif 000005
【図４】
2004022107.tif 000006
【図５】
2004022107.tif 000007
【図６】
2004022107.tif 000008
【図７】
2004022107.tif 000009
【図８】
2004022107.tif 000010
【図９】
2004022107.tif 000011